(57)【特許請求の範囲】
【請求項１】
放送された番組を受信し記憶装置に録画する放送受信システムであって、
ユーザによって指定された番組についてのチャネル及び放送時間帯を予約番組データベースに登録するとともに、制限期間の条件を設定して記憶装置に記憶する予約録画部と、
前記予約番組データベースにチャネル及び放送時間帯が登録された番組について、番組毎の番組情報に含まれる番組内容からキーワードを抽出して、キーワードデータベースに登録する予約番組キーワード抽出部と、
システムの外部から情報を取得して、取得した当該情報についての画面表示を行う表示手段と、
前記表示手段がシステムの外部から取得した情報の内容を解析してキーワードを抽出する情報内容解析部と、
前記予約番組データベースにチャネル及び放送時間帯が登録され、前記制限期間の条件によって定義された制限期間内にある番組を、制限対象番組として判定する制限期間判定部と、
前記期間判定部によって制限対象番組として判定された番組に対応して前記キーワードデータベースに登録されているキーワードと前記情報内容解析部によって抽出されたキーワードとの関連度を算出し、算出された関連度が所定の閾値を越える番組の有無を判定する関連情報判定部と、
前記関連情報判定部によって前記関連度が前記閾値を越える番組があると判定された旨の警告を発生する警告発生部と
を備えることを特徴とする放送受信システム。
【請求項２】
前記システムの外部から取得した情報は、前記表示手段によって画面表示されている現在放送中の番組についての電子番組情報である
ことを特徴とする請求項１記載の放送受信システム。
【請求項３】
前記システムの外部から取得した情報は、インターネットを介して取得した情報であり、前記表示手段は、当該情報の内容を画面表示する
ことを特徴とする請求項１記載の放送受信システム。
【請求項４】
前記情報内容解析部は、更に、前記システムの外部から取得した情報から、その発信日時を抽出し、
前記関連情報判定部は、情報内容解析部によって抽出された発信日時が、前記予約番組データベースに登録されている全ての番組の放送時間帯よりも早い場合を除いて、前記判定を行う
ことを特徴とする請求項３記載の放送受信システム。
【請求項５】
前記システムの外部から取得した情報は電子メールである
ことを特徴とする請求項４記載の放送受信システム。
【請求項６】
前記システムの外部から取得した情報はウェブデータである
ことを特徴とする請求項４記載の放送受信システム。
【請求項７】
放送信号を受信するチューナ，記憶装置，及び、ネットワークに接続される通信装置を備えるとともに、前記チューナによって受信された放送信号中の映像信号を記憶装置に録画する機能，及び、前記通信装置を通じて情報を取得する機能を有するコンピュータを、
ユーザによって指定された番組についてのチャネル及び放送時間帯を予約番組データベースに登録するとともに、制限期間の条件を設定して記憶装置に記憶する予約録画手段，
前記予約番組データベースにチャネル及び放送時間帯が登録された番組について、番組
毎の番組内容からキーワードを抽出して、前記記憶装置中のキーワードデータベースに登録する予約番組キーワード抽出手段，
前記通信装置を通じて取得した当該情報についての画面表示を行う表示手段，
前記通信装置を通じて取得した情報の内容を解析してキーワードを抽出する情報内容解析手段，
前記予約番組データベースにチャネル及び放送時間帯が登録され、前記制限期間の条件によって定義された制限期間内にある番組を、制限対象番組として判定する制限期間判定手段，
前記期間判定手段によって制限対象番組として判定された番組に対応して前記キーワードデータベースに登録されているキーワードと前記情報内容解析部によって抽出されたキーワードとの関連度を算出し、算出された関連度が所定の閾値を越える番組の有無を判定する関連情報判定手段，及び
前記関連情報判定手段によって前記関連度が前記閾値を越える番組があると判定された旨の警告を発生する警告発生手段
として機能させる予約番組関連情報制限プログラム。
【請求項８】
放送信号を受信するチューナ，記憶装置，及び、ネットワークに接続される通信装置を備えるとともに、前記チューナによって受信された放送信号中の映像信号を記憶装置に録画する機能を有する放送受信システムが、
ユーザによって指定された番組についてのチャネル及び放送時間帯を予約番組データベースに登録するとともに、制限期間の条件を設定して記憶装置に記憶し、
前記予約番組データベースにチャネル及び放送時間帯が登録された番組について、番組毎の番組内容からキーワードを抽出して、前記記憶装置中のキーワードデータベースに登録し、
前記通信装置を通じて取得した情報を取得した場合には、当該情報の内容を解析してキーワードを抽出し、
前記予約番組データベースにチャネル及び放送時間帯が登録され、前記制限期間の条件によって定義された制限期間内にある番組を、制限対象番組として判定し、
制限対象番組として判定された番組に対応して前記キーワードデータベースに登録されているキーワードと前記情報から抽出されたキーワードとの関連度を算出し、
算出された関連度が所定の閾値を越える番組がある場合にその旨の警告を発生する
ことを特徴とする予約番組関連情報の制限方法。
【発明の詳細な説明】
【技術分野】
【０００１】
本案は、電子番組表データに基づいて、テレビジョン放送された番組を記憶装置に録画し、視聴者の操作に従い録画番組を再生する放送受信システムに関する。
【背景技術】
【０００２】
近年、テレビ放送の方式が、従来のアナログ方式からデジタル方式に移行しつつある。その結果、従来のアナログ放送よりも帯域を有効利用してチャネルを多重化することが可能となった。また、通信信号の波長帯域の利用も可能となり、更に、光ケーブル等の有線によるケーブル放送も一般的となっている。従って、放送される番組の種類及び数も格段に多くなっているので、視聴したい番組を漏れなく視聴するにはビデオレコーダーの利用が不可欠となっている。
【０００３】
ところで、放送される番組の中には、スポーツ中継のように、結果に対する速報性よりも結果に至るプロセスを楽ませるために放送される番組がある。後者のような番組については、結果が未確定なまま生中継されたものをそのまま視聴することが、理想的ではある。しかし、生中継される時間帯が平日昼間であれば、多くの職業人は、これを直接視聴することは適わないので、予約録画した上で、その後の夜間や週末などに再生視聴せざるを得ない。
【０００４】
このような番組は、結果が分からない状態で視聴することに価値があると、認識されることが多い。特に、視聴者が競技者の一人又は一チームにのみ肩入れしており、その勝利を望んでいる場合に、この傾向は強い。このような認識を持つ視聴者は、番組の内容である試合の結果を視聴前に知ってしまうと、とたんに、録画された番組を視聴する意欲が減退してしまう傾向にある。例えば、録画した番組を視聴するためにテレビ受像器に電源を投入したところ、その時点でセットされていたチャンネルにおいてスポーツニュースが放送されており、当該録画番組内で中継されていた試合の結果が報道されていたために、結果を知ってしまったような場合や、インターネット上のウェブ情報（既にその番組を視聴した視聴者が当該番組について掲示板やブログに書き込んだコメント等）や電子メール（当該視聴が友人等から受信した当該番組についての感想等）を通じて結果を知ってしまったような場合である。同じことは、番組が元々録画中継であった場合にもいえる。その場合、当該番組を放送しているチャンネルでは、当該番組の内容である試合の結果をその放送前に報道することは回避されることが多いが、インターネット上のウェブ情報や電子メールを通じて、その試合結果を知ってしまうことは多い。
【０００５】
このようにして、視聴者が番組を視聴する前に、その番組内容である試合の結果を知ってしまうと、肩入れしていた競技者やチームが仮令勝利した場合であっても、試合の緊張感や興奮は減退してしまう傾向が強い。いわんや、肩入れしていた競技者やチームが見所なく敗戦した場合は尚更である。従って、かかる傾向にある視聴者がスポーツ中継番組を録画する場合には、その結果についての情報から隔離されることが望ましい。
【０００６】
なお、視聴前に当該番組についての情報を視聴者から隔離する必要は、ある結果に向けて番組が進行するがその結果の意外性ないし非予測性が重要要素となっている他の種の番組にもいえる。例えば、オリジナル脚本の映画・ドラマ，一人ないし少数の勝者を選出することを内容とするクイズ番組やオーディション番組、その他、所謂視聴者参加型番組，等である。
【０００７】
他方、時事ニュースのように、速報性が最優先され、どの番組でそれを視聴するかが比
較的問題とならない番組や、ドキュメンタリー、音楽番組、語学・教育番組のように情報の鮮度よりも内容自体に絶対的な価値がある番組や、良く知られた原作に基づいて製作されたドラマや映画のように結果に至る大筋よりも配役や役者の演技や演出などを楽しむという要素が強い番組については、視聴前に、当該番組の内容を視聴者が知ってしまっても、通常、支障とならない。従って、かかる番組の内容についての情報から視聴者を隔離する必要性は低い。
【０００８】
以上のような問題点に関して、例えば特許文献１では、ビデオデータの蓄積部や表示部を備えたビデオ一体型のテレビジョン受像器（放送受信システム）に、録画した番組を視聴する前或いは視聴している最中に、放送されている番組をザッピング等で視聴することによって録画番組の内容を知ってしまうことを避けることができる機構を組み込んだものが、提案されている。この発明によれば、録画された番組と、放送中の番組との類似度を測り、類似度がある値よりも大きい場合に、関連番組が放送されているというメッセージが画面にオーバーラップ表示される。そのため、視聴者が録画済み且つ未視聴の番組に関連する放送を視聴してしまうことを、避けることができるようになっている。
【特許文献１】特開2005-229510号公報
【発明の開示】
【発明が解決しようとする課題】
【０００９】
しかしながら、ビデオの録画方式も、無交換では最大９時間程度しか録画できない磁気テープを用いた記録方式から、大容量のハードディスクにデジタル記録する方式が主流となっている。かかる方式によると、媒体を交換することなく手軽に録画できるとともに、不要になれば数秒で消去を完了することができる。従って、視聴者の視聴形態も、少しでも気になった番組を手当たり次第に録画してから、時間のある時に、特に気に入った番組のみを再生視聴する形態に、切り替わっているといえる。
【００１０】
その結果、録画はしたものの元々再生する予定の無い録画データや、当初は再生視聴する予定であったが視聴する余暇が取れないために次第に忘却されてしまった録画データが、ハードディスクの中に大量に蓄積した常態となってしまうという現象が、頻繁に生じる。そして、かかる状態に陥った場合、上記特許文献１記載の映像受信表示装置によると、蓄積した全ての録画データについて、その視聴可能性に拘わらず、上記類似度の計測及びこれに基づくメッセージ表示がなされてしまうので、既に情報を隔離する必要のなくなった番組についてのメッセージが無意味に表示されてしまったり、チャネルを切り換える都度メッセージが表示されるようになってしまうので、通常の視聴にすら支障を生じてしまうことになりかねない。
【００１１】
そこで、本案の課題は、上述した従来技術の問題点を解決し、録画した番組に関連する情報に対して警告を行う期間を予め設定できる放送受信システムを、提供することにある。
【課題を解決するための手段】
【００１２】
本提案によると、ユーザによって指定された番組についてのチャネル及び放送時間帯を予約番組データベースに登録するとともに、制限期間の条件を設定して記憶装置に記憶し、予約番組データベースにチャネル及び放送時間帯が登録された番組について、番組毎の番組内容からキーワードを抽出して、キーワードデータベースに登録する。そして、システムの外部から情報を取得して、取得した情報の内容を解析してキーワードを抽出し、予約番組データベースにチャネル及び放送時間帯を登録し、制限期間の条件によって定義された制限期間内にある番組を、制限対象番組として判定する。かかる制限対象番組に対応してキーワードデータベースに登録されているキーワードと前記情報内容解析部によって抽出されたキーワードとの関連度を算出し、算出された関連度が所定の閾値を越える番組
の有無を判定し、関連度が閾値を越える番組があると判定された場合に、その旨の警告を発生する。
【００１３】
以上のように構成されると、録画予約は、視聴者によって特定された番組についての番組情報中の少なくともチャネル及び放送時間帯を予約番組データベースに登録することによって行われる。また、それと同時又はそれと前後して、録画予約された番組についての制限期間の条件が、記憶装置に記憶される。このようにして録画予約された番組については、その番組情報中の番組内容から一乃至複数個のキーワードが抽出されてキーワードデータベースに登録される。他方、システム外部から情報を取得した場合には、その情報を解析してキーワードを抽出し、録画予約されている番組のうち制限期間の条件によって定義された制限期間内にあるものについて、キーワードデータベースに登録されているキーワード（群）と上記外部から取得した情報から抽出されたキーワード（群）との関連度を算出し、算出された関連度が所定の閾値を越える番組が在る場合には警告を出力する。その結果、制限期間中にある予約録画番組についてのみ、それに関連する情報が外部から取得された場合に警告が発せられる。従って、予約録画された番組を視聴する前に、その番組の内容（例えば、スポーツ番組における試合結果等）にアクセスしてしまうことが制限される。しかも、かかる制限は、予め設定された制限条件が定義する制限期間内に限ってなされ、それを過ぎた場合にはなされない。従って、視聴されることなく放置されたため今後も視聴される見込みがない番組に起因して発せられる警告によって煩わされることがない。
【発明の効果】
【００１４】
以上のように構成された本案によると、録画した番組に関連する情報に対して警告を行う期間を予め設定できる。
【発明を実施するための最良の形態】
【００１５】
以下、本案による放送受信システムの実施の形態を説明する。以下に説明する放送受信システムは、デジタル放送受信機能，録画機能及びインターネット接続機能を備えた一体型テレビジョン装置ないし所謂テレビパソコンである。なお、当該実施形態による放送受信システムと等価のシステム構成は、インターネット接続機能を備えたパーソナルコンピュータに、デジタルＴＶチューナー（所謂ワンセグチューナー）を接続して各種ソフトウェアをインストールすることによっても構築可能であるし、ディスプレイ及びスピーカとそれ以外の構成とが夫々別筐体に収容されたシステム（ビデオレコーダーとモニタとから構成されるシステム）としても構築可能である。しかし、これらの相違は単なる商品構成の相違に他ならないので、本案は、これらのうちのいずれにも限定されない。
【００１６】
また、本案が適用される放送方式は、デジタル放送に限らず、アナログ放送が継続されている限りアナログ放送を含む。この場合、番組の情報を含む電子番組表が放送を通じて配信されないが、かかる電子番組表は、ネットワークを通じて配信され得るし、視聴者が手作業で録画予約を行えば足りるので、本案の適用範囲が特定の放送システムに限定されることはないない。
（放送受信システムの構成）
図１は、本実施形態による放送受信システムのハードウェア構成を示すブロック図である。この図１に示されるように、本実施形態による放送受信システム１は、ＣＰＵ１と、バスＢを通じて当該ＣＰＵ１に夫々接続されているチューナ１１，インタフェース１３，１９，ＲＡＭ１４，ＶＲＡＭ１５，ＭＰＥＧデコーダ１６，通信アダプタ１７，ハードディスク１８，インタフェース１３に接続されているキーボード１２，インタフェース１９に接続されているディスプレイ２０及びスピーカ２１とから、構成されている。
【００１７】
ＣＰＵ１０は、ハードディスク１８にインストールされている各種プログラム３０を実
行することによって当該放送受信システム１全体を制御する中央処理装置である。
【００１８】
チューナ１１は、地上波若しくは衛星用アンテナ２３（若しくは、ケーブルテレビのケーブル）に接続された検波器であり、アンテナ２３又はケーブルを通じて受信した放送信号によって搬送されているビデオデータ及びＥＰＧ（Electric Program Guide：電子番組表）データを分離してＣＰＵ１０に入力する受信装置である。このＥＰＧデータは、番組毎に放送チャネル，放送時間帯（開始日時及び番組長）及び放送内容（番組詳細）を含む番組情報を定義してなる電子番組表データである。
【００１９】
キーボード１２は、視聴者が適宜操作することによりＣＰＵ１０に対して各種の指示（命令，データ）を入力する装置である。
【００２０】
ＲＡＭ１４は、ＣＰＵ１０が上記制御のための処理を実行する際の作業領域が展開される一時記憶装置である。
【００２１】
ＶＲＡＭ１５は、ディスプレイ１０に表示される画像がイメージとして展開されるビデオメモリである。
【００２２】
ＭＰＥＧデコーダ１６は、放送信号によって搬送され又ハードディスク４０から読み出されたＭＰＥＧ準拠の映像信号及び音声信号のコンポジット信号であるビデオデータを、伸長する回路である。
【００２３】
通信アダプタ１７は、当該放送受信システム１外に設置されたルータ２２を通じてインターネットＮ上の各種サーバと通信するために、ルータ２２までのネットワーク（ＬＡＮ）の通信プロトコルに従った通信データの変換を行う通信装置である。
【００２４】
ディスプレイ２０は、ＣＰＵ１０の制御の下でＭＰＥＧデコーダー１６によって伸長されてＲＡＭ１５上に形成された動画像を表示する映像出力装置であり、スピーカ２１はＭＰＥＧデコーダー１６によって伸長された音声信号に基づく音声を出力する音声出力装置である。
【００２５】
ハードディスク１８は、各種プログラム３０及び各種データが格納されている記憶装置である。このハードディスク１８に予めインストールされ、ＣＰＵ１０によって読み出されて実行される各種プログラム１０には、インターネット接続機能を有するパーソナルコンピュータとして通常備えているプログラム（オペレーティング・システム，ブラウザプログラム，メーラプログラム，各回路１１〜２１を動作させるためのドライバプログラム，等）の他、テレビ番組の視聴，録画，再生を行うために必要な各種プログラムが、含まれている。また、ハードディスク１８内に格納されている各種データには、これらテレビ番組の視聴，録画，再生を行うために必要な各種プログラムを実行するＣＰＵ１０によって生成又は読み書きされる録画データ４１，録画済番組データベース４２，関連キーワードデータベース４３，予約番組ＥＰＧデータベース４４，制限対象番組一覧４５，及び、制限期間設定情報４６が含まれている。
【００２６】
図２は、テレビ番組の視聴，録画，再生を行うために必要な各種プログラム３０をＣＰＵ１０が実行することによって実現される各機能と、ハードディスク１８に格納されている各種データと、各回路部品との相関を示す機能ブロック図である。図２に示されるように、テレビ番組の視聴，録画，再生を行うために必要な各種プログラム３０によって実現される機能には、番組視聴部３１，ＥＰＧ解析部３２，予約録画部３３，予約番組キーワード抽出部３４，録画番組視聴状況監視部３５，関連情報制限期間判定部３６，番組関連情報判定部３７，情報内容解析部３８，及び、警告発生部３９が、含まれる。なお、情報
閲覧処理部４０は、ブラウザプログラム及びメーラプログラムによって実現される機能である。以下、図２を参照して、各機能３１〜４０，及び各データ４１〜４６の個別説明を行う。
【００２７】
まず、情報閲覧処理部４０は、キーボード１２を通じて視聴者によって入力される命令に従って、インターネットＮ上の図示せぬウェブサーバから所望のウェブデータをダウンロードし、又は、ＰＯＰサーバから当該視聴者宛の電子メールを受信し、その内容を、ディスプレイ２０上に表示する（システムの外部から情報を取得して、取得した当該情報についての画面表示を行う表示手段に相当）。この際、同じウェブデータ又は電子メールデータは、情報内容解析部３８へも入力される。
【００２８】
ＥＰＧ解析部３２は、チューナ１１によって分離されたＥＰＧデータを解析して、各チャネルにより放送中及び今後放送予定の各番組について、その番組名，開始日時，番組長，ジャンル，番組詳細（番組内容），チャネルからなる番組情報を抽出して、予約録画部３３及び情報内容解析部３８に対して、夫々通知する。なお、ＥＰＧデータは、放送信号によって搬送される他、インターネットＮを通じても配信されている。従って、ＥＰＧ解析部３２は、上記情報閲覧処理部２２によってインターネットＮを通じて取得されたＥＰＧデータを受け取り、上述したところと同様に、その解析を行う。
【００２９】
予約録画部（予約録画手段）３３は、キーボード１２を通じて視聴者によって入力された命令に従い、ＥＰＧ解析部３２によって番組情報が通知された各番組のうち、視聴者によって録画を命じられたものの番組情報を予約番組ＥＰＧデータベース４４に登録することにより、録画予約を行う。この際、予約録画部３３は、当該番組について、視聴者によって指定された制限期間の種別（制限期間の条件）を制限期間設定情報４６に登録する。なお、録画予約部３３は、ＥＰＧデータに基づくことなく、キーボード１２を通じての視聴者の手動操作によって、録画予約をしても良い。
【００３０】
また、予約録画部３３は、予約番組ＥＰＧデータベース４４に登録されている各番組の番組情報を常時監視し、何れかの番組情報に含まれる開始時間に達すると、チューナ１１を起動して当該番組情報に含まれるチャネルをセットした後、当該番組情報に含まれる番組長が示す時間内に当該チューナ１１が入力してくるビデオデータを、録画データ４１としてファイル化して、ハードディスク１８に格納する。このようにして録画した番組について、予約録画部３３は、その番組情報を録画済み番組データベース４２に記録する。
【００３１】
図３は、予約番組データベースとしての予約番組ＥＰＧデータベース４４のデータ構造を、示す表である。この図３に示されるように、この予約番組ＥＰＧデータベース４４には、録画予約された各番組に夫々対応したレコードが、登録される。そして、各レコードには、夫々、対応する予約番組について予約録画部３３が一意に付与した通し番号である「予約番号ＩＤ」とともに、その番組情報（番組名，開始日時，番組長，ジャンル，番組詳細，チャネル）が、記録される。
【００３２】
図４は、録画済番組データベース４２のデータ構造を示す表である。この図４に示されるように、この録画済番組データベース４２には、録画済みの各番組に夫々対応したレコードが、登録される。そして、各レコードには、夫々、対応する録画済番組の予約番号ＩＤ及び番組情報の内容の他、録画後に視聴（再生）がなされたかどうかを示すフラグ（視聴済フラグ，初期設定は、ＯＦＦ＝未視聴）が、記録される。
【００３３】
図５は、制限期間設定情報４６のデータ構造を示す表である。この図５に示されるように、この制限期間設定情報４６は、設定可能な制限期間の各種別毎にレコードを有し、各設定に対応したレコードには、夫々、その設定名及び設定内容（制限期間の条件）が予め
定義されているとともに、予約録画部３３により、制限期間がその種別に設定された番組の予約番組ＩＤが登録される。
【００３４】
図２に戻り、予約番組キーワード抽出部（予約番組キーワード抽出手段）としての関連番組キーワード抽出部３４は、予約番組ＥＰＧデータベース４４に登録されている各レコード毎に、その予約番号ＩＤ及び番組詳細の内容を読み出し、当該番組詳細の説明文に対して公知の手法（形態素解析等）を施すことにより単語に分解し、そのうちの特徴的な単語を、「関連キーワード」として抽出する。そして、当該関連番組キーワード抽出部３４は、予約番組毎に、その番組ＩＤ及び関連キーワードを関連キーワードデータベース４３に登録する。
【００３５】
図６は、キーワードデータベースとしての関連キーワードデータベース４３のデータ構造を示す表である。この図６に示されるように、この関連キーワードデータベース４３には、録画予約された各番組に夫々対応したレコードが、登録される。そして、各レコードには、夫々、対応する録画済番組の予約番号ＩＤ及び関連キーワードが、記録される。
【００３６】
図２に戻り、番組視聴部３１は、キーボード１２を通じて視聴者によって入力された命令に従い、通常の視聴（ビデオを介さない即時の視聴）モードにおいては、チューナ１を起動し、視聴者によって選択されたチャネルをセットし、当該チャネルにおいて放送中の番組のビデオデータをチューナ１１から受け取り、ＭＰＥＧデコーダ１６を用いてこれを伸長し、伸長したビデオデータに基づいてＶＲＡＭ１５上に各フレームのイメージを順次描画して、ディスプレイ２０上に動画表示するとともに、スピーカ２１から音声を出力する。なお、通常の視聴モード時においてチューナ１１から番組視聴部３１にビデオデータが入力されている間には、当該番組についてのＥＧＰデータが、同時に情報内容解析部３８に入力される。即ち、当該番組についてのＥＰＧデータがシステムの外部から取得した情報に相当し、番組視聴部３１が、取得した情報についての画面表示（番組の動画表示）を行う表示手段に相当する。
【００３７】
他方、ビデオ視聴モードにおいては、番組視聴部３１は、視聴者によって選択された番組の録画データ１４をハードディスク１８から読み出し、上記と同様に、ディスプレイ２０上に動画表示するとともに、スピーカ２１から音声出力する。当該ビデオ視聴モードにおいて、いずれかの番組を再生し終わると、番組視聴部３１は、録画番組視聴状況監視部３５に対して、その旨を通知する。
【００３８】
録画番組視聴状況監視部３５は、番組視聴部３１が起動している間、当該番組視聴部３１からの通知を常時監視し、当該番組視聴部３１から何れかの番組について再生し終わった旨が通知されると、当該番組について録画済番組データベース４２に登録されているレコードの試聴済フラグをＯＮにセットする。
【００３９】
情報内容解析部（情報内容解析手段）としての情報内容解析部３８は、新たなＥＰＧデータ（番組視聴部３１に現在入力されているビデオデータに係る番組についてのＥＰＧデータに限る）が入力される毎に、また、新たなウェブデータ若しくは電子メールデータが入力される毎に、起動する。そして、情報内容解析部３８は、ＥＰＧデータが入力された場合には、その番組詳細を構文解析することによって抽出したキーワードを、番組関連情報判定部３７に通知する。また、情報内容解析部３８は、ウェブデータが入力された場合には、当該ウェブデータを構文解析することによって作成年月日又は最終更新日及びキーワードを抽出して、番組関連情報判定部３７に通知する。ウェブデータ中の年月日の文字列が作成年月日であるかどうかは、当該文字列の前に「作成日付：」，「Create time is」等の文字列があるかどうか、当該文字列の後に「に作成しました」等の文字列があるかどうかによって判断する。また、ウェブデータ中の年月日の文字列が更新年月日であるか
どうかは、当該文字列の前に「Update time is」，「最終更新日」等の文字列があるかどうか、当該文字列の後に「に更新しました」等の文字列があるかどうかによって判断する。なお、作成年月日と最終更新日が識別された場合には、最終更新日が優先的に抽出される。他方、情報内容解析部３８は、電子メールデータが入力された場合には、当該電子メールデータのヘッダから抽出した発信日時及びメール本文を構文解析することによって抽出したキーワードを、番組関連情報判定部３７に通知する。
【００４０】
制限期間判定部（制限期間判定手段）としての関連情報制限期間判定部３６は、情報内容解析部３８に新たな情報が入力される毎に起動する。そして、関連情報制限期間判定部３６は、予約番組ＥＰＧデータベース４４に登録されている各レコード毎に、そのレコードに対応する番組が未録画である場合（同番組と同じ予約番組ＩＤが録画済番組データベース４２に登録されていない場合），及び、そのレコードに対応する番組が録画済みである（同番組と同じ予約番組ＩＤが録画済番組データベース４２に登録されている）が、未視聴（視聴済フラグ＝ＯＦＦ）であり、且つ、その番組について設定されている制限期間内にある場合（「開始日時」及び「設定内容」によって定まる制限期間の末日が、現在日時以後である場合）に限り、そのレコードに対応する番組の録画番組ＩＤを、制限対象番組一覧４５に登録する。なお、関連情報制限期間判定部３７は、制限対象番組一覧４５に登録した録画番組ＩＤに対応した「開始日時」については、番組関連情報判定部３７に直接通知する。
【００４１】
図７は、制限対象番組一覧のデータ構造を示す表である。この図７に示されるように、この制限対象番組一覧は、関連情報制限期間判定部３６によって制限対象とされた録画番組の録画番組ＩＤを列挙している。
【００４２】
図２に戻り、関連情報判定部（関連情報判定手段）としての番組関連情報判定部３７は、制限対象番組一覧４５に録画番組ＩＤが登録されている各録画番組毎に、関連キーワードデータベース４３に登録されている関連キーワードと情報内容解析部３８から通知されたキーワードとの関連度を計算する。ここに、関連度とは、両者がどの程度類似しているかを示す指標であり、例えば、前者に含まれる関連キーワードのうち後者にその同義語又は類義語が含まれるものの比率として、算出される。なお、番組関連情報判定部３７は、情報内容解析部３８から入力される関連キーワードがＷｅｂデータ又は電子メールデータに基づくものである場合には、それらについての作成年月日又は送信日時よりも、関連情報制限期間判定部３６から直接通知された開始日時が後である録画番組に関しては、当該情報によって結果が暴露される危険はないので、関連度の計算対象から除外する。そして、情報内容解析部３８から関連キーワードを通知された情報について、何れかの録画番組について算出された関連度が所定の閾値を越えている場合には、番組関連情報判定部３７は、警告発生部３９に対して警告発生の依頼をする。
【００４３】
警告発生部（警告発生手段）３９は、情報内容解析部３８に入力された情報がＥＰＧデータである場合には、番組視聴部３１に対して、警告文をディスプレイ２０上に表示させるとともに、スピーカ２１から警告音を出力させる。また、情報内容解析部３８に入力された情報がウェブデータ又は電子メールである場合には、情報閲覧処理部４０に対して、警告文をディスプレイ２０上に表示させる。なお、警告文発生部３９は、キーボード１２を介して視聴者から解除命令（警告文に設定された解除ボタンに対するクリック）が入力されると、番組視聴部３１又は情報閲覧処理部４０に対する警告文及び警告音の出力指示を解除する。
（各プログラムによる処理）
以下、上記各機能のうち、予約番組キーワード抽出部３４，録画番組視聴状況監視部３５，関連情報制限期間判定部３６，番組関連情報判定部３７，情報内容解析部３８及び警告発生部３９の動作（即ち、これら機能を実現するために、ハードディスク１８中の各種
プログラム３０に従ってＣＰＵ１０が実行する処理内容）の概略を、いくつかの実施例として、説明する。
【実施例１】
【００４４】
図８の処理は、予約番組キーワード抽出部３４の機能を実現するための処理である。この処理は、一定周期毎にスタートする。そして、最初のＳ０１において、予約番組キーワード抽出部３４として機能するＣＰＵ１０（以下、単に、「予約番組キーワード抽出部３４」という）は、予約番組ＥＰＧデータベース４４に新規のレコード（予約番組）が登録されているかどうかをチェックし、新規の予約番組が登録されてなければ処理をこのまま終了し、新規の予約番組が登録されていれば処理をＳ０２へ進める。
【００４５】
Ｓ０２では、予約番組キーワード抽出部３４は、予約番組ＥＰＧデータベース４４から新規登録されている各レコード中の番組情報（番組詳細）を読み出し、予約番組毎に、その番組詳細から関連キーワードを抽出する。
【００４６】
次のＳ０３では、予約番組キーワード抽出部３４は、Ｓ０２にて関連キーワードを抽出した各予約番組毎に、その予約番組ＩＤ及び関連キーワードを対応付けて、関連キーワードデータベース４３に登録する。Ｓ０３を完了すると、予約番組キーワード抽出部３４は、この予約番組キーワード抽出部３４を実現するための処理を終了する。
【００４７】
図９は、録画番組視聴状況監視部３５の機能を実現するための処理である。録画番組視聴状況監視部３５として機能するＣＰＵ１０（以下、単に、「録画番組視聴状況監視部３５」という）は、監視中である限り（Ｓ１１：ｙｅｓ）、Ｓ１１及びＳ１２のループを繰り返すことにより、番組視聴部３１からの通知をチェックし続け、視聴済みである旨が通知されると（Ｓ１２：ｙｅｓ）、Ｓ１３において、視聴済みである旨が番組視聴部３１から通知された録画番組について録画済番組データベース４２に登録されているレコードの視聴済フラグを、“ＯＮ”にセットする。
【００４８】
図１０は、関連情報制限期間判定部３６，番組関連情報判定部３７，情報内容解析部３８及び警告発生部３９を実現するための処理である。この処理は、情報内容解析部３８として機能するＣＰＵ１０（以下、単に、「情報内容解析部３８」という）に、新たなＥＰＧデータが入力されることによりスタートする。そして、スタート後最初のＳ２１では、情報内容解析部３８は、入力されたＥＰＧデータの番組詳細から、上述したように、キーワードを抽出する。
【００４９】
次のＳ２２では、関連情報制限期間判定部３６として機能するＣＰＵ１０（以下、単に、「関連情報制限期間判定部３６」という）は、図１１に示すサブルーチンを実行する。このサブルーチンに入って最初のＳ３１では、関連情報制限期間判定部３６は、今回のプロセスをスタートして以来、予約番組ＥＰＧデータベース４４に登録されている全ての番組についてＳ３２以下の処理を完了したかどうかを、チェックする。そして、未だ全ての番組について処理を完了していない場合には、関連情報制限期間判定部３６は、処理をＳ３２へ進める。
【００５０】
Ｓ３２では、関連情報制限期間判定部３６は、未処理の番組（レコード）を一つ選択する。
【００５１】
次のＳ３３では、関連情報制限期間判定部３６は、Ｓ３２にて選択した番組（レコード）が録画済みの番組であるかどうかを、当該レコードと同じ予約番組ＩＤが、録画済データベース４２に登録されているかどうかに基づいて、チェックする。そして、録画済みの録画番組でなければ、処理をそのままＳ３５へ進め、録画済みの録画番組であれば、処理
をＳ３４へ進める。
【００５２】
Ｓ３４では、関連情報制限期間判定部３６は、Ｓ３２にて選択した録画番組が視聴済みであるかどうかを、当該録画番組に係る録画済番組データベース４２中のレコードの視聴済みフラグがＯＮに設定されているか否かに基づいて、チェックする。そして、視聴済み（視聴済フラグ＝ＯＮ）であれば処理をＳ３８へ進め、未視聴（視聴済フラグ＝ＯＦＦ）であれば処理をＳ３５へ進める。
【００５３】
Ｓ３５では、関連情報制限期間判定部３６は、Ｓ３２にて選択した番組が現在制限期間内にあるかどうかを、当該番組に係る録画済番組データベース４２中のレコードの「開始日時」及び制限期間設定情報４６内で当該番組の予約番組ＩＤに対応付けられている「設定内容」に基づいて決定される制限期間の末期が現在日時よりも後であるかどうかに基づいて、判定する。そして、当該番組が現在制限期間内になければ処理をＳ３８へ進め、当該番組が現在制限期間内にあれば処理をＳ３７へ進める。
【００５４】
Ｓ３７では、関連情報制限期間判定部３６は、Ｓ３２にて選択した番組についての予約番組ＩＤを、制限対象番組一覧４５に登録する。Ｓ３７の完了後、関連情報制限期間判定部３６は、処理をＳ３８へ進める。
【００５５】
Ｓ３８では、関連情報制限期間判定部３６は、Ｓ３２にて選択した番組を処理済みであるとＲＡＭ１４に一時記憶させる。
【００５６】
以上のＳ３１乃至３８のループ処理を繰り返した結果として、予約番組ＥＰＧデータベース４４に登録されている全ての番組についての処理を完了した場合には、関連情報制限期間判定部３６は、当該サブルーチンを終了して、図１０のメインルーチンに戻る。
【００５７】
図１０のメインルーチンでは、Ｓ２２からＳ２３へ処理が進められる。Ｓ２３では、番組関連情報判定部３７として機能するＣＰＵ１０（以下、単に「番組関連情報判定部３７」という）は、制限対象番組一覧４５に登録されている予約番組ＩＤ毎に、同じ予約番組ＩＤに対応付けて関連キーワードデータベース４３に登録されている関連キーワードを読み出す。
【００５８】
次のＳ２４では、番組関連情報判定部３７は、各予約番組ＩＤ毎に、その予約番組ＩＤに対応して関連キーワードデータベース４３から読み出した関連キーワード群とＳ２１にて入力情報（ＥＰＧデータ）から抽出したキーワード群との関連度を、夫々算出する。このようにして算出された関連度が所定の閾値を越える予約番組ＩＤがある場合には、この予約番組ＩＤが示す番組を、「入力情報に関連する番組」とする。
【００５９】
次のＳ２５では、番組関連情報判定部３７は、Ｓ２４の結果として「入力情報に関連する番組」が存在していることが判明したかどうかをチェックする。そして、「入力情報に関連する番組」が存在していない場合には、ＣＰＵ１０は、当該メインルーチンを全て終了する。これに対して、「入力情報に関連する番組」が一つでも存在している場合には、ＣＰＵ１０は、処理をＳ２６へ進める。
【００６０】
Ｓ２６では、警告発生部３９として機能するＣＰＵ１０が、番組視聴部３１に対して、警告文をディスプレイ２０上に表示させるとともに、警告音をスピーカー２１から出力させる。Ｓ２６を完了すると、ＣＰＵ１０は、当該メインルーチンを全て終了する。
【００６１】
以上のように構成された本実施例によると、視聴者が何れかのチャンネルにて現在放送中の番組を視聴とした場合、当該番組についてのＥＰＧデータがＣＰＵ１０に入力され、
情報内容解析部３８の機能が、当該ＥＰＧデータ中の番組詳細からキーワードを抽出し、番組関連情報判定部３７の機能が、当該抽出されたキーワードに関連する番組が予約録画されているかどうかを判定する。この際、判定対象とされる番組は、予約のなされた全ての番組から選択される（予約番組ＥＰＧデータベース４４に登録されている全ての番組がＳ３１〜Ｓ３３の処理対象となっている）。即ち、未録画の予約番組（Ｓ３３：ｎｏの場合），及び、録画済みであるが未視聴の番組（Ｓ３３：ｙｅｓ、且つ、Ｓ３４：ｎｏの場合）のうち、予め制限期間設定情報によって定義されている制限期間内にあるもののみが、最終的に、判定対象として選択される（Ｓ３６：ｙｅｓの場合）。
【００６２】
このように、未録画の予約番組も判定対象として設定され得るので、例えば、録画対象番組が中継録画番組である場合にも、番組開始前に当該試合の結果を報道するスポーツニュース番組に対して警告を発することができる。
【００６３】
また、視聴者は、個々の番組の録画予約時に、制限期間情報４６に自由に制限期間を設定することができるので、例えば、情報の鮮度が重要となるスポーツ中継については制限期間を短く、鮮度があまり問題とならないドラマ等については制限期間を長く設定するように、当該番組の属性に応じた制限期間設定が可能となる。
【００６４】
そして、最終的に制限対象として選択された各判定対象番組について関連キーワードデータベース４３に登録された関連キーワードと、現在視聴中（若しくは、直後に視聴予定）の番組についてのキーワードとの関連度が夫々算出され、算出された関連度が所定の閾値を越える予約番組が一つでもあると、現在視聴中（若しくは、直後に視聴予定）の番組に対して警告が出力される。よって、視聴者は、録画番組を視聴する前に当該録画番組についての関連情報にアクセスしてしまうことを避けられるので、興味を失うことなく録画番組を視聴することが可能となる。
【００６５】
なお、制限期間を過ぎた録画番組については、判定対象から外されるので、その録画番組についての関連キーワードと関連度が高い番組が視聴されそうになっても、（関連度の高い制限期間内の録画番組が他にない限り）もはや警告が発せられることがない。従って、視聴者が見そびれた鮮度が落ちた録画番組が残存していたとしても、それに煩わされることなく、視聴者は、現在放送中の番組を視聴することができるようになる。
【実施例２】
【００６６】
図１２は、実施例２を示すフローチャートである。なお、図１２のフローチャートは、関連情報制限期間判定部３６，番組関連情報判定部３７，情報内容解析部３８及び警告発生部３９の動作（即ち、これら機能を実現するために、ハードディスク１８中の各種プログラム３０に従ってＣＰＵ１０が実行する処理内容）の概略のみを示すものであり、実施例１の図１０に相当するものである。従って、予約番組キーワード抽出部３４，録画番組視聴状況監視部３５については、実施例１と同様である。
【００６７】
図１２の処理は、情報内容解析部３８として機能するＣＰＵ１０（以下、単に、「情報内容解析部３８」という）に、新たなＷｅｂデータ，電子メールデータ又はＥＰＧデータが入力される毎にスタートする。そして、スタート後最初のＳ４１では、情報内容解析部３８は、入力された情報の情報発信日時を解析する。具体的には、上述したように、電子メールである場合には、ヘッダから送信日時を抽出し、ウェブデータである場合には、作成日時又は更新日時を抽出し、ＥＰＧデータである場合には、放送日時（現在日時）を特定する。また、情報内容解析部３８は、入力された電子メール，ウェブデータ又はＥＰＧデータの番組詳細から、上述したように、キーワードを抽出する。
【００６８】
次のＳ４２では、関連情報制限期間判定部３６として機能するＣＰＵ１０（以下、単に
、「関連情報制限期間判定部３６」という）は、図１１に示すサブルーチンを実行する（説明済み）。Ｓ４２を完了すると、ＣＰＵ１０は、処理をＳ４３へ進める。
【００６９】
Ｓ４３では、番組関連情報判定部３７として機能するＣＰＵ１０（以下、単に「番組関連情報判定部３７」という）は、制限対象番組一覧４５に登録されている予約番組ＩＤ毎に、同じ予約番組ＩＤに対応付けて録画済番組データベース４２に登録されている開始日時を読み出す。そして、Ｓ４１にて解析した情報発信日時（電子メールの送信日時，ウェブデータの作成日時又は更新日時，放送日時）と、録画済番組データベース４２から読み出した各開始日時とを比較する。
【００７０】
次のＳ４４では、番組関連情報判定部３７は、Ｓ４３での比較の結果として、Ｓ４１にて解析した情報発信日時が、録画済番組データベース４２から読み出した何れかの開始日時よりも後であるかどうかをチェックする。そして、Ｓ４１にて解析した情報発信日時が、録画済番組データベース４２から読み出した全ての開始日時よりも前であれば、当該情報は録画済み番組の内容を暴露している可能性は低いので、当該メインルーチンを全て完了する。これに対して、Ｓ４１にて解析した情報発信日時が、録画済番組データベース４２から読み出した何れかの開始日時よりも後であれば、当該情報によって何れかの録画番組の内容が暴露されている可能性があるので、番組関連情報判定部３７は、処理をＳ４５へ進める。
【００７１】
Ｓ４５では、番組関連情報判定部３７は、制限対象番組一覧４５に登録されている予約番組ＩＤ毎に、同じ予約番組ＩＤに対応付けて関連キーワードデータベース４３に登録されている関連キーワードを読み出す。
【００７２】
次のＳ４６では、番組関連情報判定部３７は、各予約番組ＩＤ毎に、その予約番組ＩＤに対応して関連キーワードデータベース４３から読み出した関連キーワード群とＳ４１にて入力情報（電子メール，ウェブデータ又はＥＰＧデータ）から抽出したキーワード群との関連度を、夫々算出する。このようにして算出された関連度が所定の閾値を越える予約番組ＩＤがある場合には、この予約番組ＩＤが示す番組を、「入力情報に関連する番組」とする。
【００７３】
次のＳ４７では、番組関連情報判定部３７は、Ｓ４６の結果として「入力情報に関連する番組」が存在していることが判明したかどうかをチェックする。そして、「入力情報に関連する番組」が存在していない場合には、ＣＰＵ１０は、当該メインルーチンを全て終了する。これに対して、「入力情報に関連する番組」が一つでも存在している場合には、ＣＰＵ１０は、処理をＳ４８へ進める。
【００７４】
Ｓ４８では、警告発生部３９として機能するＣＰＵ１０が、番組視聴部３１に対して、警告文をディスプレイ２０上に表示させるとともに、警告音をスピーカー２１から出力させる。Ｓ４６を完了すると、ＣＰＵ１０は、当該メインルーチンを全て終了する。
【００７５】
以上のように構成された本実施例によると、上記実施例１と同様に、視聴者が何れかのチャンネルにて現在放送中の番組を視聴とした際に、何れかの未視聴且つ制限期間内にある録画番組の内容を暴露している可能性があるならば、警告が発せられる。更に、視聴者がインターネットＮを通じて電子メール又はウェブデータを受信した際に、何れかの未視聴且つ制限期間内にある録画番組の内容を暴露している可能性があるならば、同様に、警告が発せられる。但し、受信した電子メールの発信日時又はウェブデータの作成日時又は更新日時が全ての録画番組の放送開始日時よりも早ければ、これら電子メール又はウェブデータによって内容が暴露される録画番組が存在する可能性は低い。かかる場合には、キーワードのチェックを行わないことで、処理負荷が低減される。
【実施例３】
【００７６】
図１３は、実施例３を示すフローチャートである。なお、図１３のフローチャートは、関連情報制限期間判定部３６，番組関連情報判定部３７，情報内容解析部３８及び警告発生部３９の動作（即ち、これら機能を実現するために、ハードディスク１８中の各種プログラム３０に従ってＣＰＵ１０が実行する処理内容）の概略のみを示すものであり、実施例１の図１０に相当するものである。従って、予約番組キーワード抽出部３４，録画番組視聴状況監視部３５については、実施例１と同様である。
【００７７】
図１３の処理は、実施例２についての図１２と比較して、Ｓ４２に対応する処理（即ち、図１１のサブルーチンに相当する処理）がない。この相違に拠り、図１３におけるＳ５２以下の処理は、図１１のものと若干相違している。以下、具体的に説明する。
【００７８】
まず、情報内容解析部３８は、新たなＷｅｂデータ，電子メールデータ又はＥＰＧデータが入力されると、Ｓ５１において、図１２におけるＳ４１と同様に、入力された情報の情報発信日時を解析する。
【００７９】
次のＳ５２では、番組関連情報判定部３７は、録画済番組データベース４２に登録されている全ての録画番組の開始日時を読み出す。そして、Ｓ５１にて解析した情報発信日時（電子メールの送信日時，ウェブデータの作成日時又は更新日時，放送日時）と、録画済番組データベース４２から読み出した各開始日時とを比較する。
【００８０】
次のＳ５３では、番組関連情報判定部３７は、Ｓ５２での比較の結果として、Ｓ５１にて解析した情報発信日時が、録画済番組データベース４２から読み出した何れかの開始日時よりも後であるかどうかをチェックする。そして、Ｓ５１にて解析した情報発信日時が、録画済番組データベース４２から読み出した全ての開始日時よりも前であれば、当該情報は録画済み番組の内容を暴露している可能性は低いので、当該メインルーチンを全て完了する。これに対して、Ｓ５１にて解析した情報発信日時が、録画済番組データベース４２から読み出した何れかの開始日時よりも後であれば、当該情報によって何れかの録画番組の内容が暴露されている可能性があるので、番組関連情報判定部３７は、処理をＳ５４へ進める。
【００８１】
Ｓ５４では、番組関連情報判定部３７は、録画済番組データベース４２に登録されている予約番組ＩＤ毎に、同じ予約番組ＩＤに対応付けて関連キーワードデータベース４３に登録されている関連キーワードを読み出す。
【００８２】
次のＳ５５では、番組関連情報判定部３７は、各予約番組ＩＤ毎に、その予約番組ＩＤに対応して関連キーワードデータベース４３から読み出した関連キーワード群とＳ５１にて入力情報（電子メール，ウェブデータ又はＥＰＧデータ）から抽出したキーワード群との関連度を、夫々算出する。このようにして算出された関連度が所定の閾値を越える予約番組ＩＤがある場合には、この予約番組ＩＤが示す番組を、「入力情報に関連する番組」とする。
【００８３】
次のＳ５６では、番組関連情報判定部３７は、Ｓ５５の結果として「入力情報に関連する番組」が存在していることが判明したかどうかをチェックする。そして、「入力情報に関連する番組」が存在していない場合には、ＣＰＵ１０は、当該メインルーチンを全て終了する。これに対して、「入力情報に関連する番組」が一つでも存在している場合には、ＣＰＵ１０は、処理をＳ５７へ進める。
【００８４】
Ｓ５７では、警告発生部３９として機能するＣＰＵ１０が、番組視聴部３１に対して、
警告文をディスプレイ２０上に表示させるとともに、警告音をスピーカー２１から出力させる。Ｓ５６を完了すると、ＣＰＵ１０は、当該メインルーチンを全て終了する。
【００８５】
以上のように構成された本実施例によると、実施例２と同様に、受信した電子メールの発信日時又はウェブデータの作成日時又は更新日時が全ての録画番組の放送開始日時よりも早ければ、キーワードのチェックを行わないことで、処理負荷低減が図られる。
（変形例）
上述した実施形態では、放送受信システム１は、一つの筐体にパッケージされた装置（若しくは、ディスプレイ２０及びスピーカー２１又はチューナ１１が別筐体とされた装置）であった。しかしながら、特に上記実施例２及び３のようにインターネットＮを通じて受信した電子メール及びウェブデータに対しても監視を行うためには、予約番組キーワード抽出部３４，録画番組視聴状況監視部３５，番組関連情報判定部３７，情報内容解析部３８及び警告発生部３９の各機能、並びに、関連キーワードデータベース４３，録画済番組データベース４２，制限期間設定情報４６及び制限対象番組一覧４５の各データを、当該放送受信システム１とインターネットＮとの間に介在するプロキシサーバに持たせることが望ましい。この場合、プロキシサーバは、放送受信システム１の情報閲覧処理部４０からのリクエストに応じてインターネットＮから電子メール又はウェブデータを受信すると、これを放送受信システム１の情報閲覧処理部４０に渡す前に、これが何れかの録画番組の内容を暴露するものであるかどうかを判断し、そのようなものであれば、これら電子メール又はウェブデータを一旦コンテンポラリ領域に保存しておいた上で、警告内容を記載するとともにコンテンポラリ領域内の電子メール又はウェブデータの原本へのリンクアイテムを設定した内容の電子メール（ＨＴＭＬメール）又はウェブデータとして、情報閲覧処理部４０に渡す。従って、視聴者が、自分の意思で、当該電子メール又はウェブデータの内容を閲覧することを望む場合には、情報閲覧処理部４０を用いて当該リンクアイテムを操作することにより、これら電子メール又はウェブデータの内容にアクセスすることが可能となる。
【００８６】
上述した予約番組ＥＰＧデータベース４４，録画済番組データベース４２，制限期間設定情報４６，制限対象番組一覧４５の全て又はそれらの一部を、一つのデータベースにまとめても良い。例えば、図３に示す予約番組ＥＰＧデータベースにおける各レコードの内容に、録画済みか否かを示す情報（フラグ等），視聴済フラグ（図４参照），制限期間の設定内容，制限対象番組か否かを示す情報（フラグ等）を追加すれば良い。
【図面の簡単な説明】
【００８７】
【図１】放送受信システムの概略構成を示すブロック図
【図２】ハードディスクに格納されている各種プログラムによって実現される機能及び各データの相関を示すブロック図
【図３】予約番組ＥＰＧデータベースのデータ構造を示す表
【図４】録画済番組データベースのデータ構造を示す表
【図５】制限期間設定情報のデータ構造を示す表
【図６】関連キーワードデータベースのデータ構造を示す表
【図７】制限対象番組一覧のデータ構造を示す表
【図８】予約番組キーワード抽出部に相当する処理を示すフローチャート
【図９】録画番組視聴状況監視部に相当する処理を示すフローチャート
【図１０】情報内容解析部，関連情報制限期間判定部及び番組関連情報判定部に相当する処理の第１実施例を示すフローチャート
【図１１】Ｓ２２にて実行されるサブルーチンを示すフローチャート
【図１２】情報内容解析部，関連情報制限期間判定部及び番組関連情報判定部に相当する処理の第２実施例を示すフローチャート
【図１３】情報内容解析部，関連情報制限期間判定部及び番組関連情報判定部に相当する処理の第３実施例を示すフローチャート
【符号の説明】
【００８８】
１    放送受信システム
１０    ＣＰＵ
１１    チューナ
１７    通信アダプタ
１８    ハードディスク
２０    ディスプレイ
２１    スピーカ
３０    プログラム
３１    番組視聴部
３４    予約番組キーワード抽出部
３５    録画番組視聴状況監視部
３６    関連情報制限期間判定部
３７    番組関連情報判定部
３８    情報内容解析部
３９    警告発生部
４０    情報閲覧処理部
４２    録画済番組データベース
４３    関連キーワードデータベース
４４    予約番組ＥＰＧデータベース
４５    制限対象番組一覧
４６    制限期間設定情報
【図１】
0004968094.tif 000002
【図２】
0004968094.tif 000003
【図３】
0004968094.tif 000004
【図４】
0004968094.tif 000005
【図５】
0004968094.tif 000006
【図６】
0004968094.tif 000007
【図７】
0004968094.tif 000008
【図８】
0004968094.tif 000009
【図９】
0004968094.tif 000010
【図１０】
0004968094.tif 000011
【図１１】
0004968094.tif 000012
【図１２】
0004968094.tif 000013
【図１３】
0004968094.tif 000014